(57)【特許請求の範囲】
【請求項１】
外部から液体燃料又は水を取込む取込口及び該取込口から取り込んだ液体燃料又は水を外部へ供給する供給口を有するケーシングと、該ケーシングに収容してあり、軸長方向の異なる位置にて同軸的に配された複数の磁石環とを備え、前記取込口から取り込んだ液体燃料又は水が前記磁石環の内側を通過して前記供給口に至るようにしてある磁界処理装置において、
複数の前記磁石環を軸長方向に連結する連結部材を前記磁石環に介装してあり、
前記連結部材は、
円環部と、
該円環部の両端面それぞれにおける内周縁から軸長方向に突出しており、前記磁石環に嵌合する二つの嵌合環部と
を有し、
前記二つの嵌合環部それぞれは前記磁石環に嵌合し、
前記連結部材及び磁石環によって前記液体燃料又は水が直接通過するパイプが構成され、
前記連結部材及び磁石環によって構成された前記パイプと前記ケーシングとは前記パイプの径方向に離隔しており、
前記連結部材及び磁石環によって構成された前記パイプの両端部は前記取込口及び供給口それぞれに連通する二つの管に接続しており、
前記取込口及び供給口は、前記ケーシングの互いに対向する部分にそれぞれ設けてあること
を特徴とする磁界処理装置。
【請求項２】
外部から液体燃料又は水を取込む取込口及び該取込口から取り込んだ液体燃料又は水を外部へ供給する供給口を有するケーシングと、該ケーシングに収容してあり、軸長方向の異なる位置にて同軸的に配された複数の磁石環とを備え、前記取込口から取り込んだ液体燃料又は水が前記磁石環の内側を通過して前記供給口に至るようにしてある磁界処理装置において、
複数の前記磁石環を軸長方向に連結する連結部材を前記磁石環に介装してあり、
前記連結部材は、
円環部と、
該円環部の両端面それぞれにおける内周縁から軸長方向に突出しており、前記磁石環に嵌合する二つの嵌合環部と
を有し、
前記二つの嵌合環部それぞれは前記磁石環に嵌合し、
前記連結部材及び磁石環によって前記液体燃料又は水が直接通過するパイプが構成され、
前記連結部材及び磁石環によって構成された前記パイプと前記ケーシングとは前記パイプの径方向に離隔しており、
前記ケーシングは筒形をなし、
前記取込口及び供給口は前記ケーシングの一端部に設けてあり、
前記連結部材及び磁石環によって構成された前記パイプの一端部は前記取込口に連通する第一の管に接続し、前記パイプの他端部は第二の管に接続しており、
前記第二の管及び供給口はケーシング内の空間を介して連通していること
を特徴とする磁界処理装置。
【発明の詳細な説明】
【技術分野】
【０００１】
本発明は外部から取り込んだ液体を磁界に通して供給する磁界処理装置に関する。
【背景技術】
【０００２】
燃焼効率を向上させる磁界処理装置は、燃費を改善し、二酸化炭素及び窒素酸化物の排出量を低減させることができることから、近年、その需要が高まっている。一般に磁界処理装置は、外部から取り込んだ液体燃料を磁界に通した後、外部に供給するように構成されている。特許文献１には、円筒形のケーシングに複数の環状永久磁石を同軸的に配設し、環状永久磁石の間に磁力線集積ヨークを設けた磁界処理装置が開示してある。環状永久磁石の外径はケーシングの内径と略同じであり、ケーシングの両端部に栓体を設けて、環状永久磁石及び磁力線集積ヨークを挟持してある。また特許文献２には円筒形のケーシングに複数の環状の磁石を同軸的に配設し、ケーシングの両端部に圧縮ばねを設けた磁界処理装置が開示してある。磁石の外径はケーシングの内径と略同じであり、各圧縮ばねの弾性復元力によって、複数の磁石が挟持されている。
【０００３】
また特許文献３には、液体燃料が流入する流入口及び液体燃料が流出する流出口をケーシングに設け、流入口及び流出口にパイプを接続し、該パイプに環状の永久磁石が外嵌した磁界処理装置が開示してある。
【先行技術文献】
【特許文献】
【０００４】
【特許文献１】特開平７−２０８２７８号公報
【特許文献２】特開２００１−２０８１１号公報
【特許文献３】特許第３６０３１８６号公報
【発明の概要】
【発明が解決しようとする課題】
【０００５】
特許文献１及び２に記載の磁界処理装置は、磁石をケーシング内に支持するためには、ケーシングの内径を磁石の外径に対応させる必要があり、ケーシング設計の自由度が低く、また汎用的なケーシングを使用することも難しい。特許文献３に記載の磁界処理装置は、パイプに磁石が支持されており、ケーシング設計の自由度は高いが、パイプに磁石を外嵌させる作業は長時間を要する。
【０００６】
本発明は斯かる事情に鑑みてなされたものであり、ケーシングの設計自由度を高め且つ短時間で組み立てることができる磁界処理装置を提供することを目的とする。
【課題を解決するための手段】
【０００７】
本発明に係る磁界処理装置は、外部から液体燃料又は水を取込む取込口及び該取込口から取り込んだ液体燃料又は水を外部へ供給する供給口を有するケーシングと、該ケーシングに収容してあり、軸長方向の異なる位置にて同軸的に配された複数の磁石環とを備え、前記取込口から取り込んだ液体燃料又は水が前記磁石環の内側を通過して前記供給口に至るようにしてある磁界処理装置において、複数の前記磁石環を軸長方向に連結する連結部材を前記磁石環に介装してあり、前記連結部材は、円環部と、該円環部の両端面それぞれにおける内周縁から軸長方向に突出しており、前記磁石環に嵌合する二つの嵌合環部とを有し、前記二つの嵌合環部それぞれは前記磁石環に嵌合し、前記連結部材及び磁石環によって前記液体燃料又は水が直接通過するパイプが構成され、前記連結部材及び磁石環によって構成された前記パイプと前記ケーシングとは前記パイプの径方向に離隔しており、前記連結部材及び磁石環によって構成された前記パイプの両端部は前記取込口及び供給口それぞれに連通する二つの管に接続しており、前記取込口及び供給口は、前記ケーシングの互いに対向する部分にそれぞれ設けてあることを特徴とする。
【０００８】
本発明においては、ケーシング内に配設した複数の磁石環を連結部材を介して軸長方向に沿って連結してあるので、パイプに外嵌する場合に比べて短時間で組み立てられる。また磁石環は軸長方向に挟持されているので、径方向において支持される必要はない。そのため磁石環の外径に応じてケーシングを設計する必要はなく、ケーシングの設計自由度は高い。
【００１０】
本発明においては、嵌合環部が磁石環に嵌合することで磁石環の連結が実現される。
【００１２】
本発明においては、取込口及び供給口をケーシングの互いに対向する部分にそれぞれ設けることによって、磁界を通過した液体（例えば液体燃料）を迅速に外部に供給することができる。
【００１３】
本発明に係る磁界処理装置は、外部から液体燃料又は水を取込む取込口及び該取込口から取り込んだ液体燃料又は水を外部へ供給する供給口を有するケーシングと、該ケーシングに収容してあり、軸長方向の異なる位置にて同軸的に配された複数の磁石環とを備え、前記取込口から取り込んだ液体燃料又は水が前記磁石環の内側を通過して前記供給口に至るようにしてある磁界処理装置において、複数の前記磁石環を軸長方向に連結する連結部材を前記磁石環に介装してあり、前記連結部材は、円環部と、該円環部の両端面それぞれにおける内周縁から軸長方向に突出しており、前記磁石環に嵌合する二つの嵌合環部とを有し、前記二つの嵌合環部それぞれは前記磁石環に嵌合し、前記連結部材及び磁石環によって前記液体燃料又は水が直接通過するパイプが構成され、前記連結部材及び磁石環によって構成された前記パイプと前記ケーシングとは前記パイプの径方向に離隔しており、前記ケーシングは筒形をなし、前記取込口及び供給口は前記ケーシングの一端部に設けてあり、前記連結部材及び磁石環によって構成された前記パイプの一端部は前記取込口に連通する第一の管に接続し、前記パイプの他端部は第二の管に接続しており、前記第二の管及び供給口はケーシング内の空間を介して連通していることを特徴とする。
【００１４】
本発明においては、取込口及び供給口をケーシングの一端部に設けることによって、単一の開口を有する室内（例えば自動車のエンジンルーム内）に、前記一端部を開口側に位置させることによって、磁界処理装置を容易且つ円滑に設置することができる。
【発明の効果】
【００１５】
本発明にあっては、ケーシング内に配設した複数の磁石環を連結部材を介して軸長方向に連結してあるので、パイプに外嵌する場合に比べて短時間で組み立てることができる。また磁石環は軸長方向に挟持されているので、径方向において支持される必要はない。そのため磁石環の外径に応じてケーシングを設計する必要はなく、ケーシングの設計自由度は高くなり、汎用的なケーシングを使用することもでき、製造費用を削減することができる。
【図面の簡単な説明】
【００１６】
【図１】磁界処理装置を略示する平面図である。
【図２】図１に示すＩＩ−ＩＩ線を切断線とした略示断面図である。
【図３】円環磁石及び連結部材を略示する分解斜視図である。
【図４】実施の形態２に係る磁界処理装置の略示縦断面図である。
【発明を実施するための形態】
【００１７】
（実施の形態１）
以下本発明を実施の形態１に係る磁界処理装置の図面に基づいて詳述する。図１は磁界処理装置を略示する平面図、図２は図１に示すＩＩ−ＩＩ線を切断線とした略示断面図、図３は円環磁石及び連結部材を略示する分解斜視図である。
【００１８】
磁界処理装置は円筒形のケーシング１を備えている。該ケーシング１は円筒部２を有しており、該円筒部２は両端に開口が形成してある。円筒部２の両端部内周面には雌ねじ部１０、１１がそれぞれ形成してある。
【００１９】
円筒部２の一端部に円柱状の第１蓋体３が設けてあり、他端部には偏平な円板状の第２蓋体４が設けてある。第１蓋体３の一端面が円筒部２に対向しており、第１蓋体３の一端面側に、他端面側に比べて小径な雄ねじ部３０が形成してある。第１蓋体３の他面側の径は、円筒部２と略同じである。雄ねじ部３０は円筒部２の一端部側に形成された雌ねじ部１０に螺合しており、第１蓋体３によって円筒部２の一端部側の開口が閉鎖されている。
【００２０】
第１蓋体３の周面に外部から液体燃料を取込む取込口３１が設けてある。また第１蓋体３の一側面に、後述する第１連結管６を挿入する挿入口３３が設けてある。取込口３１及び挿入口３３は、Ｌ状をなす通流路３２を介して連通している。第１蓋体３の周面において、取込口３１と対向する位置に外部に液体燃料を供給する供給口３４が設けてある。また第１蓋体３の一側面において、第１蓋体３の中心を挟んで挿入口３３と反対側の位置に、液体燃料を吐出する吐出口３６が設けてある。供給口３４及び吐出口３６は、Ｌ状をなす通流路３５を介して連通している。
【００２１】
前記第２蓋体４の一端面が円筒部２に対向しており、第２蓋体４の一端面側に、他端面側に比べて小径な雄ねじ部４１が形成してある。第２蓋体４の他面側の径は、円筒部２と略同じである。雄ねじ部４１は円筒部２の他端部側に形成された雌ねじ部１１に螺合しており、第２蓋体４によって円筒部２の他端部側の開口が閉鎖されている。第２蓋体４の一端面には、前記挿入口３３と対向する位置に後述する第２連結管７が嵌合する凹部４０が形成してある。
【００２２】
円筒部２は矩形の枠体５を収容しており、該枠体５は、円筒部２の軸長方向に沿って長く、その長手方向寸法は円筒部２の軸長方向寸法よりも若干短い。枠体５の両端部は、円筒部２の内側において、第１蓋体３及び第２蓋体４に対向している。枠体５は図示しない固定部材によって円筒部２内に固定されている。
【００２３】
第１蓋体３に対向する枠体５の一端部に、第１連結管６が軸長方向に貫通して設けてある。第１連結管６における第１蓋体３側に突出した部分は挿入口３３に嵌入している。第１連結管６における第２蓋体４側に突出した部分には円環磁石８（磁石環）が外嵌している。軸長方向において、第１連結管６は円環磁石８の途中まで（例えば半分程度）嵌入している。円環磁石８は永久磁石からなり、円環磁石８の両面はそれぞれ異なる極性である。
【００２４】
第２蓋体４に対向する枠体５の他端部において、前記凹部４０に対向する位置に、第２連結管７が軸長方向に貫通して設けてある。第２連結管７における第２蓋体４側に突出した部分は凹部４０に嵌合している。軸長方向における凹部４０と枠体５との間において、第２連結管７の周面に液体燃料を排出する排出孔７ａが設けてある。第２連結管７における第１蓋体３側に突出した部分には円環磁石８が外嵌している。軸長方向において、第２連結管７は円環磁石８の途中まで嵌入している。
【００２５】
第１連結管６と第２連結管７との間に複数の円環磁石８、８，・・・、８及び連結部材９、９，・・・９が、軸長方向の異なる位置において同軸的に交互に配してある。円環磁石８は互いに対向する面が同極となるように配置されている。
【００２６】
図３に示すように、隣り合う円環磁石８、８の間に連結部材９が介装してある。連結部材９は円環部９１と、円環磁石８に内嵌する嵌合環部９２、９２とを備える。嵌合環部９２、９２は、円環部９１の各内周縁全体から軸方向外向きに突出している。嵌合環部９２の外径は円環磁石８の内径と略同一である。各嵌合環部９２、９２は、軸長方向において二つの円環磁石８、８の途中まで（例えば半分程度）それぞれ内嵌し、二つの円環磁石８、８を連結している。円環磁石８、８，・・・、８及び連結部材９、９，・・・９全体はパイプ状をなし、第１連結管６及び第２連結管７を接続している。換言すれば円環磁石８、８，・・・、８及び連結部材９、９，・・・９は第１連結管６及び第２連結管７の間で挟持されている。
【００２７】
円環磁石８の外径は円環部９１よりも大きく、隣り合う二つの円環磁石８、８の周縁部分は直接的に対向する。そのため同極の面が直接対向するので、異極の面が対向する場合に比べて強い磁界が発生する。
【００２８】
取込口３１から液体燃料が磁界処理装置に取り込まれた場合、液体燃料は通流路３２及び第１連結管６を経て、連結部材９、９，・・・９にて連結された複数の円環磁石８、８，・・・８内を通過する。このとき円環磁石８の径方向内側に発生した磁界を液体燃料は通過する。そして第２連結管７の排出孔７ａから排出され、円筒部２内に貯留する。貯留した液体燃料は、円環磁石８、８，・・・８の外側に発生した磁界内にあり、円環磁石８の外側においても磁界による処理を受ける。その後液体燃料の液面が吐出口３６に至り、液体燃料は通流路３５を経て供給口３４から外部に供給される。
【００２９】
液体燃料の分子量は磁界内において小さくなる。そのため磁界処理装置にて磁界内を通過し、供給口３４から供給された液体燃料の燃焼効率は、磁界処理装置による処理を受けていない液体燃料に比べて高い。
【００３０】
実施の形態１に係る磁界処理装置にあっては、ケーシング１内に配設した複数の円環磁石８を連結部材９を介して軸長方向に連結してあるので、パイプに外嵌する場合に比べて短時間で組み立てることができる。また円環磁石８は、軸長方向に挟持されているので、径方向において支持される必要はない。そのため円環磁石８の外径に応じてケーシング１を設計する必要はなく、ケーシング１の設計自由度を高めることができる。また汎用的なケーシング１を使用することもでき、製造費用を削減することができる。
【００３１】
また嵌合環部９２が円環磁石８に嵌合することで円環磁石８の連結が実現される。また取込口３１及び供給口３４をケーシング１の一端部に設けることによって、単一の開口を有する室内（例えば自動車のエンジンルーム内）に、前記一端部を開口側に位置させることによって、磁界処理装置を容易且つ円滑に設置することができる。
【００３２】
なお実施の形態１に係る磁界処理装置は任意の姿勢で設置することができる。例えば取込口３１及び供給口３４を上下左右前後のいずれかの方向に向けて、磁界処理装置を設置することができる。
【００３３】
（実施の形態２）
以下本発明を実施の形態２に係る磁界処理装置を示す図面に基づいて詳述する。図４は磁界処理装置の略示縦断面図である。なお図４は図２に対応している。
【００３４】
取込口１３１は第１蓋体３の他面中央部に設けてあり、挿入口１３３は第１蓋体３の一面中央部に設けてある。取込口１３１及び挿入口１３３は軸方向に沿って延びる通流路１３２を介して連通している。また供給口４４は第２蓋体４の他面中央部に設けてあり、吐出口４６は第２蓋体４の一面中央部に設けてある。供給口４４及び吐出口４６は軸方向に沿って延びる通流路４５を介して連通している。取込口１３１及び供給口４４は軸長方向にて互いに対向しており、同軸的に配置されている。
【００３５】
第１蓋体３に対向する枠体５の一端部において、挿入口１３３に対向する位置に第１連結管６が軸長方向に貫通して設けてある。第１連結管６における第１蓋体３側に突出した部分は挿入口１３３に嵌入している。第１連結管６における第２蓋体４側に突出した部分には、円環磁石８が外嵌している。
【００３６】
第２蓋体４に対向する枠体５の他端部において、吐出口４６に対向する位置に第３連結管５０が軸長方向に貫通して設けてある。第３連結管５０における第２蓋体４側に突出した部分は吐出口４６に嵌入している。第３連結管５０における第１蓋体３側に突出した部分には、円環磁石８が外嵌している。第１連結管６及び第３連結管５０の間には、実施の形態１と同様に、複数の円環磁石８、８，・・・８及び連結部材９、９、・・・９が、軸長方向の異なる位置において同軸的に交互に配してある。円環磁石８、８，・・・８及び連結部材９、９、・・・９全体はパイプ状をなし、第１連結管６及び第３連結管５０を接続している。
【００３７】
取込口１３１から液体燃料が磁界処理装置に取り込まれた場合、液体燃料は通流路１３２及び第１連結管６を経て、連結部材９にて連結された複数の円環磁石８内を通過する。このとき円環磁石８の径方向内側に発生した磁界を液体燃料は通過する。そして第３連結管５０及び通流路４５を経て供給口４４から外部に供給される。
【００３８】
実施の形態２に係る磁界処理装置にあっては、取込口１３１及び供給口４４をケーシング１の互いに対向する部分にそれぞれ設けることによって、磁界を通過した液体燃料を迅速に外部に供給することができる。
【００３９】
実施の形態２に係る磁界処理装置は任意の姿勢で設置することができる。例えば取込口１３１を上下左右前後のいずれかの方向に向けて、磁界処理装置を設置することができる。
【００４０】
上述した実施の形態１及び２に係る磁界処理装置は、液体燃料のみならず、他の液体を処理することもできる。例えば水を磁界処理装置に通して処理し、磁化水を生成しても良い。なお実施の形態１に係る磁界処理装置においては、磁界処理装置の一端部から取り込んだ液体を一端部から供給するようにしてあり、実施の形態２の係る磁界処理装置においては、磁界処理装置の一端部から取り込んだ液体を他端部から供給するようにしてあるが、磁界処理装置における液体の通流経路はこれらに限定されない。例えば磁界処理装置の側面から取り込んで端部から供給するようにしても良いし、端部から取り込んで側面から供給するようにしても良い。
【００４１】
今回開示した実施の形態は、全ての点で例示であって、制限的なものではないと考えられるべきである。本発明の範囲は、特許請求の範囲内での全ての変更及び特許請求の範囲と均等の範囲が含まれることが意図される。
【符号の説明】
【００４２】
１  ケーシング
２  円筒部
３  第１蓋体
４  第２蓋体
８  円環磁石（磁石環）
９  連結部材
３１、１３１  取込口
３４、４４  供給口
９１  円環部
９２  嵌合環部
【図１】
0005491570.tif 000002
【図２】
0005491570.tif 000003
【図３】
0005491570.tif 000004
【図４】
0005491570.tif 000005